(57)【要約】【課題】走行時の安全性を向上させたトラクタを提供する。【解決手段】前輪と後輪２４とを有し、後輪２４のフェンダ３６に後方からの光を反射する反射板（反射部）３７を備えるトラクタ２１において、フェンダ３６が後輪２４の後側上半分付近まで覆うように設けられ、反射板３７がフェンダ３６の後端に取り付けられる。【選択図】図２
2006199056.tif 000002
【特許請求の範囲】
【請求項１】
前輪と後輪とを有し、該後輪のフェンダに後方からの光を反射する反射部を備えるトラクタにおいて、
前記フェンダが前記後輪の後側上半分付近まで覆うように設けられ、前記反射部が前記フェンダの後端に取り付けられることを特徴とする、トラクタ。
【請求項２】
前記フェンダに切り欠きを備え、該切り欠きは前記後輪の後側上半分の内側部分を目視しうるように設けられていることを特徴とする、請求項１に記載のトラクタ。
【請求項３】
運転席を覆う運転ボックスを備え、該運転ボックスの後部にリアガラスおよび該リアガラスを洗浄液を用いて清掃するワイパーを有するトラクタであって、
前記フェンダの側部に前記洗浄液を貯蔵するタンクを設けることを特徴とする、請求項２に記載のトラクタ。
【発明の詳細な説明】
【技術分野】
【０００１】
本発明は、前輪と後輪とを有し、後輪のフェンダに後方からの光を反射する反射部を備えるトラクタに関する。
【背景技術】
【０００２】
図４に示すように従来のトラクタ１は、２つの前輪２Ａと２つの後輪２Ｂとを有する４輪で後輪２Ｂの上方には運転席３を内設した運転ボックス４を備える。この運転ボックス４内には、運転席３の他にハンドル５、アクセル・ブレーキなどの操作ペダル６などを備えるとともに、側面には運転者が出入りするガラス張りのドア７、運転ボックス４に上るためのステップ８などを備える。そして、フェンダ９を後輪２Ｂの上方に設け、後方からの光を反射する反射部９Ａをフェンダ９の後端に取り付ける（例えば特許文献１）。
この反射部９Ａは夜間、トラクタ１が道路や畦道などを走行する際に、後方からの自動車などのヘッドライトの光を受けて反射することによってトラクタ１の存在を知らせるための安全器具である。
【０００３】
【特許文献１】特開平７−３２９６６３号公報
【発明の開示】
【発明が解決しようとする課題】
【０００４】
しかし、このようなトラクタ１では、後部に備える上部リンク１０Ａおよび下部リンク１０Ｂとからなる連結部１０にロータリー耕運機１１などを取り付けることがあり、この場合に道路などを走行するときは、連結部１０を不図示のリフターによって上昇させてロータリー耕耘機１１を接地しないようにして走行するので、ロータリー耕耘機１１が反射部９Ａを隠してしまうことがある。
これによって、後方の自動車などのヘッドライトが反射部９Ａに照射できなくなり、トラクタ１の存在を後方に知らせることができず、衝突されたりする恐れがあり危険であるという問題があった。
そこでこの発明の目的は、走行時の安全性を向上させたトラクタを提供することにある。
【課題を解決するための手段】
【０００５】
このため請求項１に記載の発明は、前輪と後輪とを有し、該後輪のフェンダに後方からの光を反射する反射部を備えるトラクタにおいて、
前記フェンダが前記後輪の後側上半分付近まで覆うように設けられ、前記反射部が前記フェンダの後端に取り付けられることを特徴とする。
【０００６】
請求項２に記載の発明は、請求項１に記載のトラクタにおいて、前記フェンダに切り欠きを備え、該切り欠きは前記後輪の後側上半分の内側部分を目視しうるように設けられていることを特徴とする。
【０００７】
請求項３に記載の発明は、請求項２に記載のトラクタにおいて、運転席を覆う運転ボックスを備え、該運転ボックスの後部にリアガラスおよび該リアガラスを洗浄液を用いて清掃するワイパーを有するトラクタであって、
前記フェンダの側部に前記洗浄液を貯蔵するタンクを設けることを特徴とする。
【発明の効果】
【０００８】
請求項１に記載の発明によれば、前輪と後輪とを有し、後輪のフェンダに後方からの光を反射する反射部を備えるトラクタにおいて、フェンダが後輪の後側上半分付近まで覆うように設けられ、反射部がフェンダの後端に取り付けられる。したがって、例えば、後部にロータリー耕耘機を取り付けてかつロータリー耕耘機を上昇させた状態でトラクタが夜間に道路を走行するときにも、上昇したロータリー耕耘機が反射部を隠してしまうことがない。これによって、後方の自動車などのヘッドライトが反射部に照射できて、トラクタの存在を後方に知らせることが可能となり、衝突されたりする恐れを回避することができる。よって、走行時の安全性を向上させたトラクタを提供することができる。
また、上記問題点を解決するための別案として反射部を路上高さの低い位置に設置するべくフェンダの後部に別途ステーなどを下向きに取り付けるなどの煩雑な構成とする必要がなく、部品点数の少ないトラクタを提供することができる。
【０００９】
請求項２に記載の発明によれば、フェンダに切り欠きを備え、その切り欠きは後輪の後側上半分の内側部分を目視しうるように設けられているので、トラクタの後輪の動きを側方から容易に目視することができる。また、トラクタにロータリー耕耘機などの作業機を取り付けたときには、フェンダに隠されることなく、作業機の取り付け状態や作動状態を容易に確認することができる。
【００１０】
請求項３に記載の発明によれば、運転席を覆う運転ボックスを備え、その運転ボックスの後部にリアガラスおよびそのリアガラスを洗浄液を用いて清掃するワイパーを有するトラクタであって、フェンダの側部に洗浄液を貯蔵するタンクを設けるので、タンクを取り付けるためのステーを本体フレームやフェンダなどに別途設ける必要がなく、部品点数を低減したトラクタを提供することができる。
【発明を実施するための最良の形態】
【００１１】
以下、図面を参照しつつ、この発明を実施するための最良の形態について詳述する。
本発明のトラクタの一例の側面図を図１に、背面図を図２に示す。
トラクタ２１は、車体フレーム２２の前後に前輪２３および後輪２４を２つずつ備え、前輪２３の上方にボンネット２５を形成し、その内側には原動機部としてのエンジンを備える。そして、ボンネット２５の後部に連続して運転ボックス２６を設ける。
運転ボックス２６内には、エンジンキー、アクセルペダル，クラッチペダル，ブレーキペダルなどの操作ペダル２８、シフトレバー、ハンドル２９、運転席３０などを設ける。運転ボックス２６の外周はそれぞれフロントガラス、リアガラス、ドア３１などが視認性を向上させるためにガラス張りにて構成されている。また、運転ボックス２６の左前部にはラジオ放送などを受信するアンテナ３２を取り付けるとともに、運転ボックス２６の両前部には後方確認用のミラー３３を設ける。
【００１２】
運転ボックス２６の前方のボンネット２５上にはエンジンの排気を誘導するパイプ状の排気口２７を鉛直方向に設ける。また、運転ボックス２６の左下方には、運転者が運転ボックス２６に昇降するためのステップ３４を車体フレーム２２に固定して取り付ける。
一方、運転ボックス２６の後部には、リアガラス３５を設け、そのリアガラス３５を清掃するワイパー３５Ａを設ける。
運転ボックス２６の後部下方には、フェンダ３６が後輪２４の後側上半分付近まで覆うように設けられ、反射板３７（反射部）がフェンダ３６の後端に取り付けられる。
【００１３】
フェンダ３６には後輪２４の後側上半分の内側部分を後方から目視しうるように切り欠き３６Ａが設けられている。また、左側のフェンダ３６の内側の側部には、リアガラス３５に供給するウォッシャー液を貯蔵するタンク３８を取り付ける。なお、中心線Ａは後輪２４の回転軸の中心を示すものであり、中心線Ｂは後輪２４の幅方向の中心を示すものである。また、このフェンダ３６は本体フレーム２２に固設されている。そして、中心線Ａよりも上側を後輪２４の上半分と称し、中心線Ｂよりも内側を後輪２４の内側部分と称する。
【００１４】
さらに、トラクタ２１の後部には、トップリンク３９，左右一対のロワーリンク４０およびＰＴＯ軸４１を延設する。トップリンク３９および左右一対のロワーリンク４０の先端には、三点リンク式のオートヒッチ（取付装置）を取り付けるようにしてもよい。
そして、トラクタ２１にはロータリー耕耘機５０をトップリンク３９，ロワーリンク４０を介して取り付け、ＰＴＯ軸４１をロータロー耕耘機５０の入力軸に取り付ける。
【００１５】
ロータリー耕耘機５０を取り付けたトラクタ２１は、道路走行時には図３に示すように、不図示の昇降装置によってトップリンク３９，ロワーリンク４０を上昇させ、ロータリー耕耘機５０が接地しないように所定位置まで持ち上げる。このような状態においても、反射板３７はロータリー耕耘機５０に隠れることなく、後方からのヘッドライトなどの照明を反射することができる。
【００１６】
なお、この例ではフェンダ３６の後部に三角形状の切り欠き３６Ａを設けたがこの発明はこれに限定されるものではなく、例えば、四角形状の切り欠きを設けるようにしてもよい。また、切り欠き３６Ａを設けず、フェンダを強化ガラスや強化プラスチックなどの透明な材料で形成して、後輪２４の視認性を向上させてもよい。
さらには、反射板３７は、フェンダ３６の後端にのみ設けることに限定されず、フェンダ３６のその他の箇所に別の反射板を追加して設けるようにしてもよい。このようにすると、後方からの視認性をいっそう向上させることができ、さらに安全性を向上させたトラクタとすることができる。
また、フェンダ３６の後部は後輪２４の路面接地箇所に対向する面のみを備えるようにしてもよい。このようにすると、フェンダ３６を構成する材料を少なく抑えることができる。
【００１７】
以上詳述したように、この例のトラクタ２１は、前輪２３と後輪２４とを有し、後輪２４のフェンダ３６に後方からの光を反射する反射板（反射部）３７を備えるトラクタ２１において、フェンダ３６が後輪２４の後側上半分付近まで覆うように設けられ、反射板３７がフェンダ３６の後端に取り付けられるものである。また、フェンダ３６に切り欠き３６Ａを備え、その切り欠き３６Ａは後輪２４の後側上半分の内側部分を目視しうるように設けられている。さらに、運転席３０を覆う運転ボックス２６を備え、その運転ボックス２６の後部にリアガラス３５およびそのリアガラス３５を洗浄液を用いて清掃するワイパー３５Ａを有するトラクタ２１であって、フェンダ３６の側部に洗浄液を貯蔵するタンク３８を設けるものである。
【図面の簡単な説明】
【００１８】
【図１】この発明のトラクタの側面図である。
【図２】図１のトラクタの背面図である。
【図３】図１のトラクタに取り付けたロータリー耕耘機を持ち上げた状態を示す図である。
【図４】従来のトラクタの側面図である。
【符号の説明】
【００１９】
２１    トラクタ
２２    車体フレーム
２３    前輪
２４    後輪
２５    ボンネット
２６    運転ボックス
２８    操作ペダル
２９    ハンドル
３０    運転席
３１    ドア
３２    アンテナ
３３    ミラー
３４    ステップ
３５    リアガラス
３５Ａ    ワイパー
３６    フェンダ
３６Ａ    切り欠き
３７    反射板（反射部）
３８    タンク
３９    トップリンク
４０    ロワーリンク
４１    ＰＴＯ軸
５０    ロータリー耕耘機
【図１】
2006199056.tif 000003
【図２】
2006199056.tif 000004
【図３】
2006199056.tif 000005
【図４】
2006199056.tif 000006